(57)【要約】【課題】本発明は、電子部品が実装された基板に積層配置されるキーシートにおける破損が抑制された携帯電子機器を提供することを目的とする。【解決手段】携帯電話機１は、操作部側筐体２の外面を構成するフロントケース２ａと、伸長可能で柔軟なキーシート４０Ｃと、キーシート４０Ｃにおけるフロントケース２ａ側と反対の面側に積層配置されるキー基板５０と、キー基板５０におけるキーシート４０Ｃ側の面に実装される所定高さのコンデンサ５５と、コンデンサ５５を中心にして所定範囲内に配置されコンデンサ５５よりも高さが低い抵抗５６と、キーシート４０Ｃにおける抵抗５６に対応する部分であって、キー基板５０側への移動が抑制される移動抑制部４１と、キーシート４０Ｃにおけるコンデンサ５５と抵抗５６との間に対応する部分であって伸長変形が抑制される伸長変形抑制部４２と、を備える。【選択図】図７
2010087641.tif 000002
【特許請求の範囲】
【請求項１】
筐体と、
前記筐体の外面を構成するケース部材と、
前記筐体に収容され、前記ケース部材における内面側に積層配置される伸長可能で柔軟なシート部材と、
前記シート部材における前記ケース部材側と反対の面側に積層配置される基板と、
前記基板における前記シート部材側の面に実装される所定高さの第１電子部品と、
前記第１電子部品を中心にして所定範囲内に配置され、前記第１電子部品よりも高さが低い第２電子部品と、
前記シート部材における前記第２電子部品に対応する部分であって、前記基板側への移動が抑制される移動抑制部と、
前記シート部材における前記第１電子部品と前記第２電子部品との間に対応する部分であって伸長変形が抑制される伸長変形抑制部と、を備える
携帯電子機器。
【請求項２】
前記伸長変形抑制部は、前記移動抑制部が前記第２電子部品に当接するまで移動された場合に伸長する長さが前記シート部材において破断が生じる破断伸長長さよりも短くなるよう構成される
請求項１に記載の携帯電子機器。
【請求項３】
前記所定範囲内に前記第１電子部品に対して前記第２電子部品と略対称な位置に配置され、前記第１電子部品よりも高さが低い第３電子部品と、を更に備える
請求項１又は２に記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機において、薄型化されたものや、防水機能を有するものが上市されている。
これらの携帯電話機において、筐体の内部における回路基板や電子部品等の内部部材の占有体積を小さくするため、内部部材を薄く小さくすることや、内部部材の配置を工夫する等がなされている。
【０００３】
例えば、アンテナエレメントをシールドケースの外面に配置することで、アンテナエレメントを保持する保持部材をなくして内部部材が占める占有体積を小さくし、薄型化を図ることが可能な携帯電話機が提案されている（例えば、特許文献１参照）。
【特許文献１】特開２００８−１１３２０９号公報
【発明の開示】
【発明が解決しようとする課題】
【０００４】
しかし、更なる薄型化の実現や、防水機能の確保のため、内部部材の更なる小型化・薄型化や、内部部材の配置の効率化が進められている。
例えば、キー基板に積層配置されるキーシートの厚さを薄くされたり、キー基板における電子部品の配置が限定されたりしている。
【０００５】
ここで、キー基板におけるキーシートに対向する位置に高さ方向に縦長である直方形の電子部品が配置された場合、筐体外部における電子部品の周囲に対応する位置が強く押圧されることでキーシートが破れる場合があった。例えば、防水機能を有する携帯電話機の場合、防水性が確保できないという問題が生じる場合があった。
【０００６】
本発明は、電子部品が実装された基板に積層配置されるキーシートにおける破損が抑制された携帯電子機器を提供することを目的とする。
【課題を解決するための手段】
【０００７】
本発明は、筐体と、前記筐体の外面を構成するケース部材と、前記筐体に収容され、前記ケース部材における内面側に積層配置される伸長可能で柔軟なシート部材と、前記シート部材における前記ケース部材側と反対の面側に積層配置される基板と、前記基板における前記シート部材側の面に実装される所定高さの第１電子部品と、前記第１電子部品を中心にして所定範囲内に配置され、前記第１電子部品よりも高さが低い第２電子部品と、前記シート部材における前記第２電子部品に対応する部分であって、前記基板側への移動が抑制される移動抑制部と、前記シート部材における第１電子部品と第２電子部品との間に対応する部分であって伸長変形が抑制される伸長変形抑制部と、を備える携帯電子機器に関する。
【０００８】
また、本発明は、前記伸長変形抑制部は、前記移動抑制部が前記第２電子部品に当接するまで移動された場合に伸長する長さが前記シート部材において破断が生じる破断伸長長さよりも短くなるよう構成されることが好ましい。
【０００９】
また、前記所定範囲内に前記第１電子部品に対して前記第２電子部品と略対称な位置に配置され、前記第１電子部品よりも高さが低い第３電子部品と、を更に備えることが好ましい。
【発明の効果】
【００１０】
本発明によれば、電子部品が実装された基板に積層配置されるキーシートにおける破損が抑制された携帯電子機器を提供することができる。
【発明を実施するための最良の形態】
【００１１】
以下、図面を参照して本発明を実施するための最良の形態を説明する。
図１により、携帯電子機器としての携帯電話機１における基本構造を説明する。図１は、携帯電話機１を開いた状態における外観斜視図を示す。
【００１２】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１３】
操作部側筐体２は、外面がケース部材としてのフロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００１４】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１５】
音声入力部１２は、操作部側筐体２の長手方向における連結部４側と反対の外端部側に配置される。つまり、音声入力部１２は、携帯電話機１が開状態において一方の外端部側に配置される。
【００１６】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００１７】
表示部側筐体３は、外面がフロントパネル３ａと、フロントケース３ｂと、リアケース３ｃ（図３参照）と、リアパネル３ｄ（図３参照）とにより構成される。表示部側筐体３におけるフロントケース３ｂには、各種情報を表示するための表示部２１と、通話の相手側の音声を出力するレシーバとしての音声出力部２２と、が露出するように配置される。ここで、表示部２１は、液晶パネルと、この液晶パネルを駆動する駆動回路と、この液晶パネルの背面側から光を照射するバックライト等の光源部とから構成される。
【００１８】
次いで、図２から図５により、操作部側筐体２及び表示部側筐体３の内部構造について説明する。図２は、操作部側筐体２に内蔵される部材の分解斜視図である。図３は、表示部側筐体３に内蔵される部材の分解斜視図である。図４は、キーシート４０Ｃがキー基板５０に積層された状態を説明する平面図である。図５は、図１におけるＥ−Ｅ断面図の一部である。
【００１９】
図２に示すように、操作部側筐体２は、ケース部材としてのフロントケース２ａと、キー構造部４０と、基板としてのキー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、アンテナ部９０と、バッテリリッド２ｃを備えたリアケース２ｂと、バッテリ８０とを備える。
【００２０】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、キー基板５０と、ケース体６０と、回路基板７０と、アンテナ部９０とが挟まれるようにして内蔵される。
【００２１】
フロントケース２ａには、携帯電話機１を折り畳んだ状態で表示部側筐体３の表示部２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２２】
キー構造部４０は、操作部材４０Ａと、補強部材としてのキーフレーム４０Ｂと、シート部材としてのキーシート４０Ｃと、により構成される。
【００２３】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００２４】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００２５】
キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００２６】
キーシート４０Ｃは、可撓性を有するシリコンゴム製のシート状部材である。キーシート４０Ｃは、伸長変形で柔軟なシート状部材である。
図４及び図５に示すように、キーシート４０Ｃは、後述するキー基板５０における第１電子部品としてのコンデンサ５５と、第２電子部品としての抵抗５６とが実装された面上に積層配置される。
【００２７】
キーシート４０Ｃは、移動抑制部４１と、伸長変形抑制部４２とを有する。
移動抑制部４１は、抵抗５６に対応する部分であって、厚さ方向Ｚにおけるキー基板５０側への移動が抑制された部分である。移動抑制部４１は、カバー部としてのフロントケース２ａにおける抵抗５６に対応する位置に押圧力（図５において下方への力）が加えられた場合、フロントケース２ａの変形に伴う厚さ方向Ｚの移動が抑制される。具体的には、移動抑制部４１は、抵抗５６の上面までしか移動ができないよう移動が抑制（規制）される。
【００２８】
伸長変形抑制部４２は、コンデンサ５５と抵抗５６との間に対応する部分であって、伸長変形が抑制された部分である。伸長変形抑制部４２は、移動抑制部４１において厚さ方向Ｚへの移動が抑制されたことにより、伸長変形が抑制される部分である。
伸長変形抑制部４２は、移動抑制部４１が抵抗５６に当接するまで移動された場合に伸長する長さがキーシート４０Ｃ（伸長変形抑制部４２に対応する部分）において破断が生じる破断伸長長さよりも短くなるよう構成される。
【００２９】
キー基板５０は、キーシート４０Ｃ側に配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。なお、キー基板５０は、複数の絶縁層（絶縁フィルム）の間に配線を挟み込んだものである。
【００３０】
キー基板５０は、キーシート４０Ｃにおけるフロントケース２ａ側と反対の面側に積層配置される。
図４及び図５に示すように、キー基板５０における連結部４側には、コンデンサ５５と、抵抗５６とが実装される。コンデンサ５５と抵抗５６とは、幅方向Ｘにおいて並んで配置される。
図５に示すように、コンデンサ５５は、高さ方向Ｚにおいて高さが高い電子部品である。コンデンサ５５は、上面５５ａがキーシート４０Ｃに近接又は当接するように配置される。コンデンサ５５は、抵抗５６が並んで配置されていない場合、キーシート４０Ｃが破れる原因となる電子部品である。
【００３１】
抵抗５６は、コンデンサ５５よりも高さ方向Ｚにおいて高さが低い電子部品である。抵抗５６は、コンデンサ５５を中心に所定範囲内に配置される。抵抗５６は、キーシート４０Ｃの一部における高さ方向Ｚへの移動を抑制すると共に、キーシート４０Ｃの一部における伸長変形を抑制する。
【００３２】
ここで、所定範囲の距離（半径）や、第２電子部品としての抵抗５６の高さは、伸長変形抑制部４２における上記伸長長さが破断伸長長さよりも短くなるように設定されればよく、特に制限されない。
【００３３】
ところで、キー基板５０がケース体６０における平板部６１に載置されるので、操作部材４０Ａそれぞれが押圧されることによる圧力や撓みは、ケース体６０の下方に配置される回路基板７０に伝達されにくい。
【００３４】
ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００３５】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
【００３６】
回路基板７０には、アンテナ１０８が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００３７】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００３８】
アンテナ部９０は、基台上に所定形状のアンテナエレメントが配置されることにより構成さる。アンテナ部９０は、携帯電話機１における連結部４側と反対の端部側に配置される。このアンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００３９】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００４０】
図３に示すように、表示部側筐体３は、フロントパネル３ａと、音声出力部２２と、フロントケース３ｂと、音声出力部２２と、表示部２１と、表示部２１が接続されたプリント基板８５と、リアケース３ｃと、リアパネル３ｄと、を備える。
【００４１】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００４２】
そして、フロントケース３ｂとリアケース３ｃとの間には、表示部２１が接続されたプリント基板８５が挟まれるようにして内蔵される。プリント基板８５には、不図示のアンプと接続されるスピーカが接続される。
【００４３】
図６から図９により、キーシート４０Ｃにおける作用について説明する。
図６は、本実施形態における外部から押圧力Ｆが加えられる前のキーシートＣにおける状態を説明する図である。図７は、本実施形態における外部から押圧力Ｆが加えられた後のキーシートＣにおける状態を説明する図である。図８は、従来技術における押圧力Ｆが加えられる前のキーシートＣにおける状態を説明する図である。図９は、従来技術における外部から押圧力Ｆが加えられた後のキーシートＣにおける状態を説明する図である。
【００４４】
図６に示すように、外部から押圧力Ｆが高さ方向Ｚにおける下方に加えられる前のキーシート４０Ｃは、コンデンサ５５及び抵抗５６から離間した状態である。この状態において、キーシート４０Ｃは、押圧力Ｆによる厚さ方向Ｚへの撓み変形や伸長変形はされていない。
【００４５】
図７に示すように、キーシート４０Ｃにおける抵抗５６に対応する部分（抵抗５６の上方に位置する部分）である移動抑制部４１にフロントケース２ａを介して外部から押圧力Ｆが加えられた場合、まず、移動抑制部４１は、高さ方向Ｚにおける抵抗５６側に移動される。移動抑制部４１は、距離Ｍ１だけ移動した後、抵抗５６における上面５６ａでとまる。言い換えると、抵抗５６の上面５６ａにより移動抑制部４１の移動は規制（抑制）される。
【００４６】
これにより、キーシート４０Ｃにおけるコンデンサ５５に対応する部分は、抵抗５６側の移動が大きく抵抗５６側と反対側の移動が小さいくなるよう全体として高さ方向Ｚにおけるコンデンサ５５側に移動する。この状態において、キーシート４０Ｃの一部である当接部４３Ａは、コンデンサ５５における上方側であって抵抗５６側の角部５５ｂに当接されると共に、押圧力Ｆにより変形された不図示のフロントケース２ａと角部５５ｂとの間に挟まれて固定される。また、当接部４３Ａは、フロントケース２ａからの当接部４３Ａをせん断するような押圧力が加えられる。
【００４７】
キーシート４０Ｃにおけるコンデンサ５５と抵抗５６との間に対応する部分である伸長変形抑制部４２は、移動抑制部４１の厚さ方向Ｚにおける下方への移動に伴って伸長長さＬ１だけ伸長変形される。具体的には、当接部４３Ａと移動抑制部４１との間の伸長変形抑制部４２は、伸長長さＬ１だけ伸長変形される。
【００４８】
キーシート４０Ｃが上述のような変形をすることで、当接部４３Ａに上述の伸長変形の負荷やフロントケース２ａからの押圧力が集中する。ここで、本実施形態において、移動抑制部４１における移動が抑制され、伸長変形抑制部４２における伸長変形が抑制されることで、当接部４３Ａにかかる負荷が抑制されている。また、フロントケース２ａの変形量を小さくできるので、当接部４３Ａに対する押圧力も低減されている。これにより、当接部４３Ａにおいて破損（穴、破れ）が生じることを抑制できる。
【００４９】
次いで、図８に示すように、従来技術においても同様に、外部から押圧力Ｆが高さ方向Ｚにおける下方に加えられる前のキーシート４０Ｃは、コンデンサ５５及び抵抗５６から離間した状態である。この状態において、キーシート４０Ｃは、押圧力Ｆによる厚さ方向Ｚへの撓み変形や伸長変形はされていない。
【００５０】
図９に示すように、キーシート４０Ｃにおける抵抗５６に対応する部分４５（抵抗５６の上方に位置する部分）にフロントケース２ａを介して外部から押圧力Ｆが加えられた場合、まず、部分４５は、高さ方向Ｚにおけるキー基板５０側に移動される。押圧力Ｆにより変形される部分４５は、本実施形態の場合における移動した距離Ｍ１よりも長い距離である距離Ｍ２だけ移動する。
【００５１】
これにより、キーシート４０Ｃにおけるコンデンサ５５に対応する部分４５は、押圧される側の移動が大きく押圧される側と反対側の移動が小さいくなるよう全体として高さ方向Ｚにおけるコンデンサ５５側に移動する。この状態において、キーシート４０Ｃの一部である当接部４３Ｂは、コンデンサ５５における上方側であって押圧される側の角部５５ｂに当接されると共に、押圧力Ｆにより変形された不図示のフロントケース２ａと角部５５ｂとの間に挟まれて固定される。また、当接部４３Ｂは、フロントケース２ａからの当接部４３Ｂをせん断するような押圧力が加えられる。ここで、従来技術において、押圧力Ｆによる変形量が大きいので、当接部４３Ｂに対してフロントケース２ａにより加えられる押圧力は大きくなる。
【００５２】
キーシート４０Ｃにおける当接部４３Ａと部分４５との間の伸長部４６は、本実施形態における伸長長さＬよりも長い伸長長さＬ２だけ伸長変形される。
【００５３】
キーシート４０Ｃが上述のような変形をすることで、当接部４３Ｂに上述の伸長変形の負荷やフロントケース２ａからの押圧力が集中する。ここで、従来技術において、押圧される部分４５の移動が大きく、伸長部４６における伸長が大きいので、当接部４３Ｂにかかる負荷が大きい。また、フロントケース２ａの変形量が大きいので、当接部４３Ｂに対する押圧力も大きくなる。これにより、当接部４３Ｂにおいて破損（穴、破れ）が生じる場合がある。
【００５４】
本実施形態によれば、電子部品が実装されたキー基板５０に積層配置されるキーシート４０Ｃにおける破損が抑制された携帯電話機１を提供することができる。例えば、携帯電話機１を閉じる際に硬い部材を挟んだ場合に生じるキーシートの破損を抑制できる。
【００５５】
また、本実施形態によれば、携帯電話機１が防水機能を有する場合、キーシート４０Ｃの破損を抑制することで、防水機能を維持することができる。
【００５６】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００５７】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００５８】
また、本実施形態において、第１電子部品をコンデンサ５５、第２電子部品を抵抗５６として説明しているが、これに限定されず、他の電子部品であってもよい。
【００５９】
また、本実施形態において、第１電子部品としてのコンデンサ５５の近くには１つの抵抗５６のみが配置されるが、これに限定されず、複数の第２電子部品が配置されていてもよい。例えば、コンデンサ５５の所定範囲内にコンデンサ５５に対して抵抗５６と略対称な位置にコンデンサ５５よりも高さが低い第３電子部品が配置されていてもよい。
【図面の簡単な説明】
【００６０】
【図１】携帯電話機１を開いた状態における外観斜視図である。
【図２】操作部側筐体２に内蔵される部材の分解斜視図である。
【図３】表示部側筐体３に内蔵される部材の分解斜視図である。
【図４】キーシート４０Ｃがキー基板５０に積層された状態を説明する平面図である。
【図５】図１におけるＥ−Ｅ断面図の一部である。
【図６】本実施形態における外部から押圧力Ｆが加えられる前のキーシートＣにおける状態を説明する図である。
【図７】本実施形態における外部から押圧力Ｆが加えられた後のキーシートＣにおける状態を説明する図である。
【図８】従来技術における押圧力Ｆが加えられる前のキーシートＣにおける状態を説明する図である。
【図９】従来技術における外部から押圧力Ｆが加えられた後のキーシートＣにおける状態を説明する図である。
【符号の説明】
【００６１】
１          携帯電話機
２          操作部側筐体
２ａ        フロントケース
２ｂ        リアケース
３          表示部側筐体
１１        操作キー群
２１        表示部
４０Ｃ      キーシート
４１        移動抑制部
４２        伸長変形抑制部
４３Ａ      当接部
５０        キー基板
５５        コンデンサ（第１電子部品）
５６        抵抗（第２電子部品）
【図１】
2010087641.tif 000003
【図２】
2010087641.tif 000004
【図３】
2010087641.tif 000005
【図４】
2010087641.tif 000006
【図５】
2010087641.tif 000007
【図６】
2010087641.tif 000008
【図７】
2010087641.tif 000009
【図８】
2010087641.tif 000010
【図９】
2010087641.tif 000011